(57)【特許請求の範囲】
【請求項１】
前後のブーツを保持するための一対のブーツ保持体と、該各ブーツ保持体をスノーボードに固定するためのビンディングとを備えたスノーボード用ビンディング装置であって、前記ビンディングは、
前記スノーボード側に固定され、上面側に第１回転規制部が形成されたベース部材と、
該ベース部材に嵌合可能なように前記ブーツ保持体側に固定されるチップガイド部材と、
該チップガイド部材の中心点から偏心したそれぞれ異なる３点を中心として該チップガイド部材に沿って周方向にスライド可能な３枚の略円弧状のチップ部材と、
該各チップ部材を周方向にスライド操作可能な作動リング部材と、
前記ブーツ保持体側に固定され、前記ベース部材の第１回転規制部に係合可能なように下面側に第２回転規制部が形成された蓋部材と、
を備え、前記作動リング部材によって前記チップ部材を一方の周方向にスライドさせると、前記各チップ部材によって内側に形成される前記ベース部材の嵌合空間が狭くなり、前記チップ部材が前記ベース部材に係止することにより前記第１回転規制部と第２回転規制部との係合状態が保持され、前記スノーボードに対する前記ブーツ保持体の動きが拘束される一方、前記作動リング部材によって前記チップ部材を他方の周方向にスライドさせると、前記ベース部材の嵌合空間が広くなり、前記チップ部材と前記ベース部材との係止状態が解除されることにより前記第１回転規制部と第２回転規制部との係合状態が解除可能となり、前記スノーボードに対する前記ブーツ保持体の拘束状態が解除されるように構成されていることを特徴とするスノーボード用ビンディング装置。
【請求項２】
前記作動リング部材は、前記各チップ部材と共に周方向に水平回転可能に設けられた環状部材と、該環状部材を前記一方の周方向に付勢する周方向付勢部材と、前記環状部材を前記他方の周方向に牽引可能な牽引部材と、外側において前記牽引部材の先端に設けられた操作部材とを備え、該操作部材を操作して前記牽引部材を前記他方の周方向に牽引すると、前記ベース部材の嵌合空間が広くなり、前記チップ部材と前記ベース部材との係止状態が解除されることにより前記第１回転規制部と第２回転規制部との係合状態が解除可能となり、前記スノーボードに対する前記ブーツ保持体の拘束状態が解除されるように構成されている請求項１に記載のスノーボード用ビンディング装置。
【請求項３】
前記チップ部材は、前記チップガイド部材と前記作動リング部材との間に挟装されており、前記チップ部材の前記チップガイド部材側には、該チップガイド部材に形成されたガイド溝に沿って移動可能な係合突部が形成されていると共に、前記チップ部材の前記作動リング部材側には、該作動リング部材に形成された係止凹部に嵌合可能な係止突部が形成されている請求項１又は２に記載のスノーボード用ビンディング装置。
【請求項４】
前記ベース部材に対して前記蓋部材を上方に付勢する上方付勢部材が設けられている請求項１〜３のいずれか１の請求項に記載のスノーボード用ビンディング装置。
【発明の詳細な説明】
【技術分野】
【０００１】
本発明は、雪上を滑走するためのスノーボードにブーツを取り付ける際に使用するスノーボード用ビンディング装置に関するものである。
【背景技術】
【０００２】
一般に、雪上を滑走するためスノーボードにブーツを取り付ける際にはビンディング装置を使用している。
【０００３】
この種の従来のビンディング装置は、前後のブーツを保持するための一対のブーツ保持体と、該各ブーツ保持体をスノーボードに固定するためのビンディングとから構成されている。そして、このビンディングは複数のネジ等の締結具によりスノーボードに締着されるようになっており、滑走者は、このビンディングを使用してスノーボードの長手方向に対してブーツ保持体が所望角度を成すように調整している。    
（例えば、特許文献１参照）。
【特許文献１】特開平１０−１７４７３４号公報
【発明の開示】
【発明が解決しようとする課題】
【０００４】
しかしながら、上記した従来のスノーボード用ビンディング装置では、雪上を滑走する姿勢を考えて前後のブーツ保持体がそれぞれスノーボードに対して所望角度を成して斜めに固定されているため、例えば、傾斜の無い場所での移動やリフトの乗り降り等、雪上を滑走しない場合には、移動し難いといった問題があった。
【０００５】
すなわち、通常、傾斜の無い場所で移動する場合には、後側のブーツをスノーボードから外した不自然な姿勢でスノーボードを進行方向に向けて滑らせて歩かなければならいため、歩き難く、転倒し易いといった問題があった。
【０００６】
また、ペアリフトのように複数の滑走者が同乗する場合には、スノーボードに固定されている前側の足が前方を向くとスノーボードが斜めを向くため、スノーボードがリフトの同乗者のスノーボードやブーツ等に接触し、同乗者に対して不快感を与えるおそれがあった。
【０００７】
さらに、上記した従来のスノーボード用ビンディング装置において、スノーボードに対するブーツ保持体の設定角度を変更するには、その都度、ドライバー等の工具を使用して複数の締結具を緩めたり、締め付けたりしなければならないため、そのような設定変更作業に手間が掛かるといった問題もあった。
【０００８】
本発明は、上記した課題を解決すべくなされたものであり、雪上を滑走しない場合にも容易に移動することができ、リフトの同乗者に不快感を与えることがなく、取り付け角度の設定変更作業を簡単に行うことのできるスノーボード用ビンディング装置を提供することを目的とするものである。
【課題を解決するための手段】
【０００９】
上記した目的を達成するため、本発明に係る前後のブーツを保持するための一対のブーツ保持体と、該各ブーツ保持体をスノーボードに固定するためのビンディングとを備えたスノーボード用ビンディング装置であって、前記ビンディングは、前記スノーボード側に固定され、上面側に第１回転規制部が形成されたベース部材と、該ベース部材に嵌合可能なように前記ブーツ保持体側に固定されるチップガイド部材と、該チップガイド部材に沿って周方向にスライド可能な複数の略円弧状のチップ部材と、該各チップ部材を周方向にスライド操作可能な作動リング部材と、前記ブーツ保持体側に固定され、前記ベース部材の第１回転規制部に係合可能なように下面側に第２回転規制部が形成された蓋部材と、を備え、前記作動リング部材によって前記チップ部材を一方の周方向にスライドさせると、前記各チップ部材によって内側に形成される前記ベース部材の嵌合空間が狭くなり、前記チップ部材が前記ベース部材に係止することにより前記第１回転規制部と第２回転規制部との係合状態が保持され、前記スノーボードに対する前記ブーツ保持体の動きが拘束される一方、前記作動リング部材によって前記チップ部材を他方の周方向にスライドさせると、前記ベース部材の嵌合空間が広くなり、前記チップ部材と前記ベース部材との係止状態が解除されることにより前記第１回転規制部と第２回転規制部との係合状態が解除可能となり、前記スノーボードに対する前記ブーツ保持体の拘束状態が解除されるように構成されていることを特徴とする。
【００１０】
そして、前記作動リング部材は、前記各チップ部材と共に周方向に水平回転可能に設けられた環状部材と、該環状部材を前記一方の周方向に付勢する周方向付勢部材と、前記環状部材を前記他方の周方向に牽引可能な牽引部材と、外側において前記牽引部材の先端に設けられた操作部材とを備え、該操作部材を操作して前記牽引部材を前記他方の周方向に牽引すると、前記ベース部材の嵌合空間が広くなり、前記チップ部材と前記ベース部材との係止状態が解除されることにより前記第１回転規制部と第２回転規制部との係合状態が解除可能となり、前記スノーボードに対する前記ブーツ保持体の拘束状態が解除されるように構成されていてもよい。
【００１１】
また、前記チップ部材は３枚設けられており、該各チップ部材は前記チップガイド部材の中心点から偏心したそれぞれ異なる３点を中心として周方向にスライド可能に設けられていてもよい。
【００１２】
さらに、前記チップ部材は、前記チップガイド部材と前記作動リング部材との間に挟装されており、前記チップ部材の前記チップガイド部材側には、該チップガイド部材に形成されたガイド溝に沿って移動可能な係合突部が形成されていると共に、前記チップ部材の前記作動リング部材側には、該作動リング部材に形成された係止凹部に嵌合可能な係止突部が形成されていてもよい。
【００１３】
さらにまた、前記ベース部材に対して前記蓋部材を上方に付勢する上方付勢部材が設けられていてもよい。
【発明の効果】
【００１４】
本発明によれば、スノーボードに対するブーツ保持体の設定角度の変更作業を簡単に行うことができるため、雪上を滑走しない場合にも自然な姿勢で容易に移動することができ、リフトの同乗者に不快感を与えることがない。
【発明を実施するための最良の形態】
【００１５】
以下、図面を参照しつつ、本発明の実施の形態について説明する。ここで、図１は本発明の実施の形態に係るスノーボード用ビンディング装置を示す平面図、図２は同スノーボード用ビンディング装置のビンディングを示す分解斜視図、図３は同スノーボード用ビンディング装置のビンディングのベース部材を示す断面図、図４は同スノーボード用ビンディング装置のビンディングのベース部材を示す平面図、図５は同スノーボード用ビンディング装置においてブーツ保持体側に設けられるビンディングの各部材を示す断面図、図６は同スノーボード用ビンディング装置のビンディングのチップガイド部材を示す平面図、図７は同スノーボード用ビンディング装置のビンディングのチップ部材を示す平面図、図８は同スノーボード用ビンディング装置のビンディングの作動リング部材を示す平面図、図９は同スノーボード用ビンディング装置のビンディングの第１回転規制部及び第２の回転規制部を示す断面図である。
【００１６】
図１に示されているように、本実施の形態に係るスノーボード用ビンディング装置１は、前後のブーツを保持するための一対のブーツ保持体２と、該各ブーツ保持体２をスノーボード３に固定するためのビンディング４とから構成されている。
【００１７】
このビンディング４は、スノーボード３側に固定されるベース部材５と、該ベース部材５に嵌合可能なようにブーツ保持体２側に固定されるチップガイド部材６と、該チップガイド部材６に沿って周方向にスライド可能な３枚のチップ部材７と、該各チップ部材７を周方向にスライド操作可能な作動リング部材８と、チップガイド部材６の上面に固定される蓋部材９とを備えて構成されている。
【００１８】
図３及び図４に良く示されているように、ベース部材５は円形皿状を成し、底面１０に穿設された複数（図示では４個）の丸孔１１を介してネジ１２を締結することによりスノーボード３に固定されるようになっている。ベース部材５の底面１０の中心部分には上方突出部１３が形成されており、該上方突出部１３の周囲には円環状凹部１４が形成されている。また、ベース部材５の上端には外鍔状のフランジ部１５が平面視で環状に形成されており、フランジ部１５の上面には鋸歯状の第１回転規制部１６が形成されている（図９参照）。
【００１９】
図５及び図６に良く示されているように、チップガイド部材６は、環状に形成され、内側に扁平な円柱形状を成す開口部１７を備えており、この開口部１７を介してベース部材５に嵌合可能となっている。また、チップガイド部材６の外側面には、互いに離間する方向に水平に延出する水平延出部１８が左右一対に形成されており、各水平延出部１８にそれぞれ穿設された複数（図示では４個）の丸孔１９を介してネジを締結することによりチップガイド部材６がブーツ保持体２の底部に固定されるようになっている。
【００２０】
チップガイド部材６の内周部分には段差部４９，２０が２段に亘って形成されており、高い方の段差部４９の外側面５０は平面視でチップガイド部材６の中心点Ｃを中心とした大径円に沿って形成されおり、低い方の段差部２０の内側面２１は平面視でチップガイド部材６の中心点Ｃを中心とした小径円に沿って形成されている。また、段差部２０の外側面２２は中心点Ｃから放射状に同一距離偏心したそれぞれ異なる３点Ｅ１，Ｅ２，Ｅ３を中心とした３つの円弧面２２ａ，２２ｂ，２２ｃにより構成されており、各円弧面２２ａ，２２ｂ，２２ｃの半径Ｒ１，Ｒ２，Ｒ３は同一長さに設定されている。さらに、外側面２２の各円弧面２２ａ，２２ｂ，２２ｃ間には湾曲面２３ａ，２３ｂ，２３ｃがそれぞれ形成されている。
【００２１】
低い方の段差部２０上には、前記偏心点Ｅ１，Ｅ２，Ｅ３をそれぞれ中心とした３つの円弧に沿ってガイド溝２４ａ，２４ｂ，２４ｃが形成されており、この段差部２０上に３枚のチップ部材７が配置され、さらに、チップ部材７上において高い方の段差部４９に作動リング部材８が配置されるようになっている。また、チップガイド部材６の上面側には段差部２０と外部とを連通するように溝部４７が形成されており、この溝部４７を後述するワイヤ３２が通過するようになっている。
【００２２】
図７に良く示されているように、各チップ部材７は、略円弧状の薄片により形成されており、その外側面２５はチップガイド部材６の段差部２０の各円弧面２２ａ，２２ｂ，２２ｃに沿った円弧面を成し、内側面２６はチップガイド部材６の段差部２０の内側面２１に沿った円弧面を成している。そして、チップ部材７の一端２７を段差部２０の湾曲面２３ａ，２３ｂ，２３ｃに当接させた状態（図７中の実線部）では、チップ部材７の内側面２６が平面視で段差部２０の内側面２１と一致すると共に、チップ部材７を一方（図中の反時計回り方向）の周方向にスライドさせた状態（図７中の二点鎖線部）では、チップ部材７の内側面２６が平面視で段差部２０の内側面２１より内側に張り出し、ベース部材５のフランジ部１５の下方に係止するようになっている。
【００２３】
また、各チップ部材７の他端側下面には係合突部２８が下方に突設されており、この係合突部２８はチップガイド部材６のガイド溝２４ａ，２４ｂ，２４ｃに沿って移動し、チップ部材７の周方向のスライド動作を案内するようになっている。さらに、各チップ部材７の一端２７側上面には、係止突部２９が上方に突設されており、この係止突部２９は後述する作動リング部材８の係止凹部３６に係止可能となっている。
【００２４】
作動リング部材８は、各チップ部材７と共に周方向に水平回転可能に設けられた環状部材３０と、該環状部材３０を前記一方の周方向に付勢する周方向付勢部材であるスプリング３１と、環状部材３０を他方の周方向（図示の時計回り方向）に牽引可能な牽引部材であるワイヤ３２と、外側においてワイヤ３２の先端に設けられた操作部材３３とを備えて構成されている。なお、操作部材３３は、操作し易さを考慮して、前側のビンディング４では前側に露出し、後側のビンディング４では後側に露出するように設けられているのが好ましい。
【００２５】
図５に良く示されているように、環状部材３０の内側面３４はチップガイド部材６の段差部２０の内側面２１に沿った曲面を成しており、環状部材３０の外周にはスプリング３１及びワイヤ３２を収容する欠込み部３５が形成されている。環状部材３０の下面側には各チップ部材７の係止突部２９が係止可能な係止凹部３６が３箇所形成されており、この係止凹部３６はチップ部材７が周方向にスライドする時の係止突部２９の軌跡に合わせて平面視で長円形状に形成されている。
【００２６】
環状部材３０には支持部４６が形成されており、この支持部４６には、スプリング３１の一端が固定されていると共にワイヤ３２の基端が固定されている。また、スプリング３１の他端はチップガイド部材６に形成された支持部４６に固定されており、これにより、スプリング３１は環状部材３０を前記一方の周方向に付勢する。
【００２７】
図５に良く示されているように、蓋部材９はその外周部においてビス３７によりチップガイド部材６に締着されている。また、蓋部材９の下面側には、ベース部材５の第１回転規制部１６に対応する位置に第２回転規制部３８が鋸歯状に形成されており、図９に示されているように、第２回転規制部３８は第１回転規制部１６に咬合可能となっている。さらに、蓋部材９の中央には、平面視で円形の凹部３９が形成されており、凹部３９の底部にはベース部材５の上方突出部１３が遊嵌可能な丸孔４０が形成されている。
【００２８】
そして、この丸孔４０に上方突出部１３を遊嵌し、丸孔４０より大径のワッシャ４１を上方突出部１３の上にビス４２によって固定することにより、チップガイド部材６とベース部材５とが完全には分離しないようになっている。また、この時、凹部３９の深さ、上方突出部１３の高さ、及びワッシャ４１の厚みは、第１回転規制部１６と第２回転規制部３８との咬合状態が完全に解除可能、且つ、該解除状態において第１回転規制部１６と第２回転規制部３８との間に僅かな隙間（例えば、１ｍｍ程度）が形成されるように設定されるのが好ましい。これにより、第１回転規制部１６と第２回転規制部３８との咬合状態が解除されている状態であっても、第１回転規制部１６と第２回転規制部３８との間に雪が侵入することはないため、ブーツ保持体２の取り付け角度の設定変更作業を円滑に行うことができる。
【００２９】
また、蓋部材９の凹部３９の外側には上方付勢部材であるスプリング４３が周設されており、このスプリング４３は蓋部材９の凹部３９の外周に形成された円環状凹部４４とベース部材５の円環状凹部１４とにより位置決めされ、ベース部材５に対してチップガイド部材６及び蓋部材９を上方に付勢するようになっている。さらに、蓋部材９の凹部３９にはキャップ４５が嵌合されている。
【００３０】
このような構成を備えたスノーボード用ビンディング装置１において、第１回転規制部１６と第２回転規制部３８とを咬合させ、操作部材３３に牽引力を作用させない場合、作動リング部材８のスプリング３１の付勢力によって、各チップ部材７は、各チップ部材７の係合突部２８がチップガイド部材６のガイド溝２４ａ，２４ｂ，２４ｃに案内されながら外側面２２の各円弧面２２ａ，２２ｂ，２２ｃに沿って、一方の周方向（図示の反時計回り方向）にスライドする。
【００３１】
このような各チップ部材７の一方の周方向へのスライドに伴い、各チップ部材７の内側面２６は平面視で段差部２０の内側面２１より内側に張り出し、各チップ部材によって内側に形成されるベース部材５の嵌合空間が狭くなり、各チップ部材７の内側部分はベース部材５のフランジ部１５の下方に係止する。これにより、第１回転規制部１６と第２回転規制部３８との係合状態は保持され、スノーボード３に対するブーツ保持体２の動きが拘束される。
【００３２】
一方、スノーボード３に対するブーツ保持体２の設定角度を変更する場合には、作動リング部材８の操作部材３３を他方の周方向（図示の時計回り方向）に牽引する。そうすると、各チップ部材７は、スプリング３１の付勢力に抗して、係合突部２８がチップガイド部材６のガイド溝２４ａ，２４ｂ，２４ｃに案内されながら外側面２２の各円弧面２２ａ，２２ｂ，２２ｃに沿って、他方の周方向にスライドする。
【００３３】
このような各チップ部材７の他方の周方向へのスライドに伴い、各チップ部材７の内側面２６は平面視で段差部２０の内側面２１に一致し、ベース部材５の前記嵌合空間が広くなり、各チップ部材７の内側部分とベース部材１５との係止状態が解除され、スプリング４３の付勢力により、ベース部材５に対してチップガイド部材６及び蓋部材９はブーツ保持体２と共に上昇する。これにより、第１回転規制部１６と第２回転規制部３８との係合状態が解除され、スノーボード３に対するブーツ保持体２の拘束状態が解除される。そのため、滑走者は、スノーボード３に対してブーツ保持体２が所望角度を成すように、チップガイド部材６及び蓋部材９と共にブーツ保持体２を回転させることができ、第１回転規制部１６と第２回転規制部３８とを咬合させた後に、操作部材３３の牽引動作を止めると、スノーボード用ビンディング装置１は、上記したのと同様の動作により、スノーボード３に対するブーツ保持体２の動きを拘束し、スノーボード３に対するブーツ保持体２の設定角度は所望なように設定される。
【００３４】
上記したように本発明の実施の形態に係るスノーボード用ビンディング装置１によれば、スノーボード３に対してブーツ保持体２の設定角度を変更する場合、操作部材３３を牽引操作等するだけでよく、ドライバー等の工具を使用して締結具を緩めたり、締め付けたりする必要がないため、ブーツ保持体２の設定角度の変更作業を簡単に行うことができる。
【００３５】
これにより、例えば、スノーボード３を使用して傾斜の無い場所で移動する際には、前側のブーツ保持体２をスノーボード３と平行を成すように角度を設定した自然な姿勢で、スノーボード３から外した後側の足で雪上面を蹴りながらスノーボード３を滑らせて歩くことができる。したがって、傾斜の無い場所での移動やリフトの乗り降り等、雪上を滑走しない場合にも、簡単に移動することができる。
【００３６】
また、例えば、ペアリフトのように複数の滑走者が同乗する場合には、スノーボードに固定されている前側の足が前方を向いた時にスノーボードも前方を向くようにブーツ保持体２の角度を簡単に設定することができるため、スノーボードがリフトの同乗者のスノーボードやブーツ等に接触したりすることがなく、同乗者に対して不快感を与えることを防止することができる。
【００３７】
なお、上記した実施の形態では、チップ部材７を３枚設置した場合について説明したが、これは単なる例示に過ぎず、本発明は、チップ部材７を２枚又は４枚以上設置した場合にも適用可能である。
【図面の簡単な説明】
【００３８】
【図１】本発明の実施の形態に係るスノーボード用ビンディング装置を示す平面図である。
【図２】本発明の実施の形態に係るスノーボード用ビンディング装置のビンディングを示す分解斜視図である。
【図３】本発明の実施の形態に係るスノーボード用ビンディング装置のビンディングのベース部材を示す断面図である。
【図４】本発明の実施の形態に係るスノーボード用ビンディング装置のビンディングのベース部材を示す平面図である。
【図５】本発明の実施の形態に係るスノーボード用ビンディング装置においてブーツ保持体側に設けられるビンディングの各部材を示す断面図である。
【図６】本発明の実施の形態に係るスノーボード用ビンディング装置のビンディングのチップガイド部材を示す平面図である。
【図７】本発明の実施の形態に係るスノーボード用ビンディング装置のビンディングのチップ部材を示す平面図である。
【図８】本発明の実施の形態に係るスノーボード用ビンディング装置のビンディングの作動リング部材を示す平面図である。
【図９】本発明の実施の形態に係るスノーボード用ビンディング装置のビンディングの第１回転規制部及び第２の回転規制部を示す断面図である。
【符号の説明】
【００３９】
１          スノーボード用ビンディング装置
２          ブーツ保持体
３          スノーボード
４          ビンディング
５          ベース部材
６          チップガイド部材
７          チップ部材
８          作動リング部材
９          蓋部材
１６        第１回転規制部
２４ａ，２４ｂ，２４ｃ      ガイド溝
２８        係合突部
２９        係止突部
３０        環状部材
３１        周方向付勢部材
３２        牽引部材
３３        操作部材
３８        第２回転規制部
４３        上方付勢部材
【要約】
【課題】取り付け角度の設定変更作業を簡単に行うことができる。
【解決手段】本発明のスノーボード用ビンディング装置１は、スノーボード３側に固定され、上面側に第１回転規制部１６が形成されたベース部材５と、ベース部材５に嵌合可能なようにブーツ保持体２側に固定されるチップガイド部材６と、チップガイド部材６に沿って周方向にスライド可能な複数の略円弧状のチップ部材７と、各チップ部材７を周方向にスライド操作可能な作動リング部材８と、ブーツ保持体２側に固定され、ベース部材５の第１回転規制部１６に係合可能なように下面側に第２回転規制部３８が形成された蓋部材９とを備えていることを特徴とする。
【選択図】図２【図１】
0004081505.tif 000002
【図２】
0004081505.tif 000003
【図３】
0004081505.tif 000004
【図４】
0004081505.tif 000005
【図５】
0004081505.tif 000006
【図６】
0004081505.tif 000007
【図７】
0004081505.tif 000008
【図８】
0004081505.tif 000009
【図９】
0004081505.tif 000010